(57)【特許請求の範囲】
【請求項１】
製品の仕様が異なることでプリント基板に取付けられる電子部品の極性が変わる場合、間違わないように取付けることが出来る為に形成される極性表示において、電子部品の端子が嵌る両端子穴を結ぶ方向に対して両側には電子部品記号を対にして形成し、しかも両電子部品記号の向きを互いに逆方向としたことを特徴とするプリント基板の極性表示。
【請求項２】
製品の仕様が異なることでプリント基板に取付けられる電子部品の極性が変わると共に別の電子部品が特別に取付けられる場合、間違わないように取付けることが出来る為に形成される極性表示において、電子部品の端子が嵌る両端子穴を結ぶ方向に対して両側には電子部品記号を対にして形成し、しかも両電子部品記号の向きを互いに逆方向とし、そして特別に取付けられる電子部品及び何れかの向きに表示される上記電子部品記号を囲む枠線を設けたことを特徴とするプリント基板の極性表示。
【請求項３】
製品の仕様が異なることでプリント基板に取付けられる電子部品の極性が変わる場合、間違わないように取付けることが出来る為に形成される極性表示において、電子部品の端子が嵌る両端子穴を結ぶ方向に対して両側には電子部品記号を対にして形成し、しかも両電子部品記号の向きを互いに逆方向とし、そしてダミーとして取付ける電子部品記号を形成すると共に該ダミーの電子部品記号及び何れかの向きに表示される上記電子部品記号を囲む枠線を設けたことを特徴とするプリント基板の極性表示。
【請求項４】
上記両電子部品記号を線で繋ぎ、繋ぎ線上に端子穴を設けた請求項１、請求項２、又は請求項３記載のプリント基板の極性表示。
【発明の詳細な説明】
【０００１】
【発明の属する技術分野】
本発明はプリント基板に電子部品を取り付ける際に、その極性を間違えないように極性を表示したプリント基板に関するものである。
【０００２】
【従来の技術】
電子部品をプリント基板に取り付ける場合、大部分の電子部品はチップマウンター等の自動機械が使用されて取り付けられているが、特別な電子部品や形が特殊であったり大きな電子部品の場合には作業者が手作業にて取付けている。人手によって取付けられる電子部品の中には電解コンデンサーのような正極又は負極がある部品が存在している。
【０００３】
このように極性がある電子部品を手作業でプリント基板に取付ける場合には、該プリント基板に表示されている極性と電子部品の極性を確認しながら作業するが、従来のプリント基板では極性表示が小さくて見難く、電子部品の極性を間違えて取付ける危険性がある。そこで特開２０００−１５１０４２に係る「プリント配線基板」では、電子部品実装時に使うマークと部品実装後に使うマークを分離し、実装時に極性を確認するマークを、電子部品の部品形状と同等にし、且つ従来の大きさより格段に大きく新規に追加したプリント配線基板を実現することにより、従来の人手により取付ける問題点を解決している（図３（ａ）参照）。
【０００４】
又、実開平５−２０３９２号に係る「プリント基板」は電子部品を取付けるプリント基板に、接着剤を用いてプリント基板の仕様を識別表示させるようにしている。従って、簡単な識別表示を行えると共に、作業の短縮、自動化が容易に行え安価にプリント基板を製造できる。又、プリント基板の共有化が図られ、作業ミスが解消できる。
【０００５】
ところで、同じプリント基板を使用して仕様が異なる製品を製作する場合があり、この時には回路定数や回路構成が変化することにより、極性のある電子部品の向きがプリント基板の向きと異なる場合がある。すなわち、表示とは逆向きに取付ける必要がある。その為に、電解コンデンサーの場合は無極性の部品を使用し、図３（ｂ）に示しているようにプリント基板も無極性にするが、部品のコストが高くなってしまう。
【０００６】
又別の対応として、図３（ｃ）に示すように所定の表示近傍に逆向き表示を行い、仕様に応じて向きが変わった場合でも極性のある電子部品といった表示は可能であるが、取付ける電子部品が正しい向きであるか否かの確認はできない。勿論、近傍に表示スペースが無い場合には、この方法は不可能となり、プリント基板の拡大をもたらす。
【０００７】
【発明が解決しようとする課題】
このように、従来のプリント基板には上記のごとき問題がある。本発明が解決しようとする課題はこの問題点であり、仕様によって極性のある電子部品の向きが変化する場合でも、その向きが正しいか否かの確認ができる表示を設けているプリント基板を提供する。
【０００８】
【課題を解決する為の手段】
電解コンデンサー、ダイオード等の極性がある電子部品を取付ける場合には、該極性を間違えないようにする為に、プリント基板表面にその極性を表示する。これは従来と共通する。そして、本発明では仕様によって極性のある電子部品の向きが変化する場合には、極性表示が両方向あるものとしている。
【０００９】
又、近傍にある他の電子部品で、仕様によって取付けたり取付けなかったりする電子部品を利用し、該電子部品の有無と関連させてどちら向きの極性表示が正しいかを表示する。しかも、上記電子部品が近傍に存在しない場合には、回路に繋がらないダミーの電子部品を近傍に設けることで対応する。以下、本発明に係る実施例を図面に基づいて詳細に説明する。
【００１０】
【実施例】
図１（ａ）、（ｂ）はプリント基板の極性表示を示す本発明の実施例である。この極性表示は電子部品としてコンデンサーが取付けられるが、所定の間隔をおいて端子穴１ａ、１ｂがプリント基板を貫通して設けられていて、端子穴１ａ、１ｂの下面周囲には導体パターンが形成されている。従って、コンデンサー（図示なし）の端子は両端子穴１ａ、１ｂに挿入されると共に、裏面にて屈曲した状態で上記導体パターンにハンダ付けされる。
【００１１】
ところで、上記端子穴１ａ、１ｂの両側にはコンデンサーを表すコンデンサー記号２ａ、２ｂが表示されている。そして、該コンデンサー記号２ａは手前側に＋記号が付され、他のコンデンサー記号２ｂには奥側に＋記号が付されている。この表示は製品の仕様に応じて取付けられるコンデンサーの極性が変わることを意味していて、作業者はこのコンデンサー記号２ａ，、２ｂが表示されている場合にはコンデンサーの取付け方向を注意しなくてはならない。ここで、向きが違うコンデンサー記号２ａ、２ｂは繋ぎ線８にて繋がれ、繋ぎ線８の上に端子穴１ａ、１ｂが設けられている。
【００１２】
図１（ｂ）にはダイオード記号が表示されている。この場合も上記コンデンサーと同じく、所定の間隔をおいて端子穴４ａ、４ｂがプリント基板を貫通して設けられていて、端子穴４ａ、４ｂの下面周囲には導体パターンが形成されている。従って、ダイオード（図示なし）の端子は両端子穴４ａ、４ｂに挿入されると共に、裏面にて屈曲した状態で上記導体パターンにハンダ付けされる。
【００１３】
上記端子穴４ａ、４ｂの両側にはダイオードを表すダイオード記号３ａ、３ｂが表示されている。そして、これら両ダイオード記号３ａ、３ｂの向きは逆方向となっている。この表示は製品の仕様に応じて取付けられるダイオードの極性が変わることを意味していて、作業者はこのダイオード記号３ａ，、３ｂが表示されている場合にはダイオードの取付け方向を注意しなくてはならない。
【００１４】
図２は本発明に係るプリント基板の極性表示を表している他の実施例である。製品の仕様によっては、特別に取付けられる電子部品が存在したり、逆に存在しなかったりするケースが多い。この実施例は仕様に応じて特別に取付けられる電子部品との関連において所定の電子部品の極性が分るようにしている。
【００１５】
図２（ａ）に示しているプリント基板にはコンデンサーの端子が挿入される端子穴１ａ、１ｂが貫通して設けられ、該端子穴１ａ、１ｂの両側にはコンデンサー記号２ａ、２ｂが表示されている。そして、該コンデンサー記号２ａは手前側に＋記号が付され、他のコンデンサー記号２ｂには奥側に＋記号が付されている。又、端子穴１ａ、１ｂとは別に他の電子部品Ｓが取付けられる端子穴５ａ、５ｂがプリント基板を貫通して設けられている。
【００１６】
ところで、該プリント基板には枠線６が設けられ、該枠線６は他の電子部品Ｓ、及び上記コンデンサー記号２ｂを囲むように形成されている。このことは、製品の仕様に応じて電子部品Ｓを取付けた場合には、所定のコンデンサーはその向きがコンデンサー記号２ｂと一致する極性になるように取付けることを意味している。従って、電子部品Ｓを取付けない場合には、所定のコンデンサーはその向きがコンデンサー記号２ａと一致する極性になるように取付けられる。
【００１７】
図２（ｂ）も前記実施例と同じであり、プリント基板の表面には枠線７が形成されている。該枠線７は他の電子部品Ｓ１（コンデンサー）、電子部品Ｓ２（抵抗）、及びコンデンサー記号２ｂを囲むように形成されている。このことは、製品の仕様に応じて電子部品Ｓ１、Ｓ２を取付けた場合には、所定のコンデンサーはその向きがコンデンサー記号２ｂと一致する極性になるように取付けることを意味している。従って、電子部品Ｓ１、Ｓ２を取付けない場合には、所定のコンデンサーはその向きがコンデンサー記号２ａと一致する極性になるように取付けられる。
【００１８】
ここで、上記電子部品Ｓは所定の電子回路を構成するために特別に取付けるものであるが、時には電子回路を構成しないでダミーとして取付けることもある。すなわち、ダミーとしての電子部品の存在の有無に応じて所定の電子部品の極性の間違えを無くすことが出来る。
【００１９】
以上述べたように、本発明のプリント基板の極性表示はプリント基板に端子穴を貫通して設けると共に、端子穴の両側には取付ける電子部品の記号を向きを逆にして表示したものであり、次のような効果を得ることが出来る。
【００２０】
【発明の効果】
本発明のプリント基板の表面には、製品の仕様に応じて取付けられる電子部品の極性が変わる場合であっても、間違えることなく該電子部品を正しく取付け出来る。すなわち、端子穴の両側には向きを互いに反対方向とした電子部品の記号が対を成して表示されることで、作業者は電子部品の端子を端子穴に嵌める際に気を付ける為に間違いを起こさない。
【００２１】
一方、製品の仕様が変わることで特別な電子部品を取付ける場合には、この電子部品と所定の電子部品を表す電子部品記号とを枠線で囲むことで、特別に取付ける電子部品との関連性を持たせることが出来る。従って、所定の電子部品を取付ける際にその極性を間違えることは無くなる。
【図面の簡単な説明】
【図１】本発明に係るプリント基板の極性表示を示す実施例。
【図２】本発明に係るプリント基板の極性表示を示す他の実施例。
【図３】従来におけるプリント基板の極性表示を示す具体例。
【符号の説明】
１  端子穴
２  コンデンサー記号
３  ダイオード記号
４  端子穴
５  端子穴
６  枠線
７  枠線
８  繋ぎ線
【図１】
0003610494.tif 000002
【図２】
0003610494.tif 000003
【図３】
0003610494.tif 000004